(57)【要約】【課題】  取引料金を徴収する際、お釣を生じさせない独自の徴収機能を持たせることにより、お釣の準備金やお釣の払出構造を省略した簡単な徴収構造を実現する。【解決手段】  貨幣投入口に貨幣が投入されたとき、その貨幣が取引料金として徴収される予め設定された設定料金を超える額面の金種か否かを判別し、設定料金を超えない額面の金種と判別したときは投入された貨幣を加えた積算料金が前記設定料金になるまで投入を継続させ、前記貨幣の積算料金が設定料金を超えてしまう額面の金種の投入と判別したときは、それまで受付け許可していた金種であっても受付け拒否して返却し、前記積算料金が設定料金に一致したことを確認したとき、前記設定料金の徴収を完結する。【選択図】  図８
2006048526.tif 000002
【特許請求の範囲】
【請求項１】
貨幣投入口に貨幣が投入されたとき、その貨幣が取引料金として徴収される予め設定された設定料金を超える額面の金種か否かを判別し、設定料金を超えない額面の金種と判別したときは投入された貨幣を加えた積算料金が前記設定料金になるまで投入を継続させ、前記貨幣の積算料金が設定料金を超えてしまう額面の金種の投入と判別したときは、それまで受付け許可していた金種であっても受付け拒否して返却し、前記積算料金が設定料金に一致したことを確認したとき、前記設定料金の徴収を完結する料金徴収方法。
【請求項２】
貨幣の投入を許容する貨幣投入口と、
投入された貨幣を処理する貨幣処理手段と、
投入された貨幣のうち、料金の徴収に適さない貨幣を返却する返却手段とを備え、
前記貨幣投入口に投入された貨幣から前記貨幣処理手段が取引利用するための取引料金を徴収する料金徴収装置であって、
前記貨幣処理手段は、
投入された貨幣の金種を判別する金種判別処理と、
前記金種判別処理にて判別した貨幣の金種の額面が、取引料金として徴収される予め設定された設定料金を超えるか否かを判定する徴収判定処理と、
投入された貨幣を加えた積算料金が前記設定料金を超えない金額と判別したときは前記貨幣を受付け、積算料金が前記設定料金を超える金額と判別したときは、それまで受付け許可していた金種であっても受付け許可状態から禁止状態に変更して前記貨幣を返却する受付変更処理と、
前記積算料金が前記設定料金に一致したことを確認したとき、前記設定料金の徴収を完結する料金徴収処理と、
を備えた料金徴収装置。
【請求項３】
前記料金徴収処理を、
投入された個々の貨幣に対して、該貨幣を加えた積算料金が予め設定された設定料金を超えない額面の金種であれば受付け許可して保留し、設定料金を超える額面の金種であれば受付け拒否して返却する受付け処理の繰返しに設定した
請求項２記載の料金徴収装置。
【請求項４】
貨幣の受付けを許可する金種を表示し、
受付けた貨幣を加えた積算料金が設定料金を超えてしまう金種の表示を投入可の表示から投入不可の表示に切換える表示手段を備えた
請求項２または３記載の料金徴収装置。
【請求項５】
請求項２〜４記載の何れかの料金徴収装置を備えて手数料、使用料、商品代金の取引料金を徴収する取引処理装置。
【発明の詳細な説明】
【技術分野】
【０００１】
この発明は、例えば貨幣を両替する両替機などの取引処理装置に備えられるような料金徴収装置に関し、さらに詳しくはお釣を生じさせずに取引料金を徴収する料金徴収装置に関する。
【背景技術】
【０００２】
通常、取引利用する金種が１金種に限定された投入口を有する取引機器の場合、例えば携帯電話機などが利用される有料充電器の投入口に利用料金に相当する特定金種の硬貨が投入されたことを条件に充電動作するものが知られている(例えば特許文献１参照)。また、コイン式のドライクリーニング機などの投入口に利用料金が投入されることに基づいて運転動作するものが知られている(例えば特許文献２参照)。
【０００３】
これらは１００円硬貨のように特定の金種のみを受付けるため、お釣の払い出し構造を省略した１金種だけの簡単な貨幣処理構造であるのが利点である。
【０００４】
ところが、自動販売機や自動取引装置ではお釣を払い出す機能が付加された高機能な機器が製造されつつある。そのために、これらの取引機器では貨幣処理構造が複雑で大型になり、コスト高の原因になっていた。例えば、金融機関の店舗に設置される両替機を例にとって説明すると、通常、金融機関のサービスの一貫として両替機の使用は無料扱いになっていた。しかしながら、近年、金融機関独自に採算性の向上を模索して、両替取引を有料化することの要請が高まっている。この有料化の実現に向けて既存の両替機の変更を最小限にして両替機に対する無駄のない料金徴収の試みとして、例えば両替手数料を徴収する独立した専用の両替機用手数料受付機を設け、この専用の両替機用手数料受付機を両替機本体に併設するものが知られている(例えば特許文献３参照)。
【０００５】
しかし、このような両替機用手数料受付機では、両替手数料を徴収する際に、お釣が生じると、両替機本体側とは別に、お釣を準備する必要があるため、両替手数料専用のお釣払い出し構造を要し、この結果、両替機用手数料受付機の構造が複雑になり、大型化やコスト高の原因になっていた。それゆえ、両替機用手数料受付機に内部構成されるお釣払い出し構造を省略するため、両替機本体側で取引した料金からお釣を徴収することが考えられるが、この場合は両替機本体側で扱う別管理の貨幣と両替機用手数料受付機側で扱う貨幣とが混在することになり、金融機関での管理運用上、貨幣および制御データの管理が複雑になり、運用コストが高くなる問題を有していた。
【０００６】
【特許文献１】特開平１０−８３８４０号
【特許文献２】特許第２８７７６９２号
【特許文献３】実開平６−７５０６３号
【発明の開示】
【発明が解決しようとする課題】
【０００７】
そこでこの発明は、取引料金を徴収する際、お釣を生じさせない特有の貨幣徴収機能を持たせることにより、お釣の払い出しを省略した簡単な料金徴収構造を実現することができる料金徴収方法および料金徴収装置を提供することを目的とする。
【課題を解決するための手段】
【０００８】
この発明は、貨幣投入口に貨幣が投入されたとき、その貨幣が取引料金として徴収される予め設定された設定料金を超える額面の金種か否かを判別し、設定料金を超えない額面の金種と判別したときは投入された貨幣を加えた積算料金が前記設定料金になるまで投入を継続させ、前記貨幣の積算料金が設定料金を超えてしまう額面の金種の投入と判別したときは受付け許可状態から禁止状態に変更し、受付け拒否して返却し、前記積算料金が設定料金に一致したことを確認したとき、前記設定料金の徴収を完結する料金徴収方法であることを特徴とする。
【０００９】
ここで、取引料金とは顧客が取引利用したときの取引手数料、機器を使用したときの機器使用料、商品を購入したときに支払う商品購入代金などの全ての支払いを含んだ料金の総称である。
【００１０】
この発明によると、貨幣投入口に投入された貨幣の金種を判別して、投入された貨幣を加えた積算料金を計算し、このとき積算料金が取引料金としての設定料金を超えてしまう場合は、その超えた分のお釣を必要とするので、それまで受付け許可していた金種であっても、その金種の受付けを許可状態から禁止状態に変更し、受付けを拒否して返却する。一方、お釣を必要としない金種を受付けたときの積算料金が設定料金になれば、徴収料金に達したので、それまでに投入された貨幣を徴収して料金の徴収を完結するものである。
【００１１】
このように、設定料金の徴収に際しては、お釣の必要性が生じないので、お釣の準備がいらず、またお釣の払出構造が一切不要になるので料金徴収構造の小型化を実現できる。例えば、薄形化した構成がとれる。
【００１２】
このため、両替機などに併設して両替手数料を徴収するように図った場合は、簡単な構成でありながら両替手数料を独自に効率よく徴収することができる。さらに、両替機で扱われる両替料金からお釣を払い出させることもなく、両替機で扱われる両替用の別管理の貨幣と両替手数料に扱われる貨幣とが混在しないため、制御が簡素化して貨幣の運用管理が容易になる。この結果、金融機関側での管理運用コストを低く設定して料金徴収装置などを簡単に構築できる。
【００１３】
この発明の別の構成では、貨幣の投入を許容する貨幣投入口と、投入された貨幣を処理する貨幣処理手段と、投入された貨幣のうち、料金の徴収に適さない貨幣を返却する返却手段とを備え、前記貨幣投入口に投入された貨幣から前記貨幣処理手段が取引利用するための取引料金を徴収する料金徴収装置であって、前記貨幣処理手段は、投入された貨幣の金種を判別する金種判別処理と、前記金種判別処理にて判別した貨幣の金種の額面が、取引料金として徴収される予め設定された設定料金を超えるか否かを判定する徴収判定処理と、投入された貨幣を加えた積算料金が前記設定料金を超えない金額と判別したときは前記貨幣を受付け、積算料金が前記設定料金を超える金額と判別したときは、それまで受付け許可していた金種であっても受付け許可状態から禁止状態に変更して前記貨幣を返却する受付変更処理と、前記積算料金が前記設定料金に一致したことを確認したとき、前記設定料金の徴収を完結する料金徴収処理とを備えて構成することができる。
【００１４】
この発明によると、貨幣投入口に貨幣が投入されると、貨幣処理手段が投入された貨幣に対して先ず、金種判別処理を行って貨幣の金種を判別し、この判別時に徴収判定処理を行って判別した貨幣の金種が、取引料金として徴収される予め設定された設定料金を超える金種か否かを判定する。続いて、受付変更処理を行って投入された貨幣を受付けて積算したときの積算料金が設定料金を超えない金種であると判別したときは、お釣が不要なので受付けを許可する。一方、積算料金が設定料金を超える金種と判別したときは、お釣を要するので返却する。その後、料金徴収処理によって投入された貨幣を加えた積算料金が設定料金に一致したことを確認したとき、設定料金の徴収を完結する。従って、取引料金の徴収に際しては、お釣の発生を回避した取引構成が可能になるため、お釣の払出構造を省略して、設定料金の徴収構造を小型に、しかも簡単に構築することができる。
【００１５】
この発明の別の構成では、料金徴収処理を、投入された個々の貨幣に対して、該貨幣を加えた積算料金が予め設定された設定料金を超えない額面の金種であれば受付け許可して保留し、設定料金を超える額面の金種であれば、それまで受付け許可していた金種であっても受付け許可状態から禁止状態に変更し、受付け拒否して返却する受付け処理の繰返しに設定することができる。
【００１６】
この発明によると、貨幣投入口に貨幣を１枚ずつ順に投入操作すればよく、投入された貨幣を加えた積算料金が設定料金になると、これを回収して取引料金としての設定料金の徴収が完了する。この場合、貨幣を１枚ずつ受付けて金種を判別するため受付可否の判定を容易に行うことができる。
【００１７】
この発明の別の構成では、貨幣の受付けを許可する金種を表示し、受付けた貨幣を加えた積算料金が設定料金を超えてしまう金種の表示を投入可の表示から投入不可の表示に切換える表示手段を備えて構成することができる。
【００１８】
この発明によると、貨幣を投入する際に、取引料金に応じて定められた投入利用を許可している金種と投入利用を規制している金種とを表示手段によって表示案内するため、顧客はこの表示案内を見て許可された金種を投入操作することができる。また、上記表示案内の別形態の表現としては、許可金種を緑色、禁止金種を赤色等で点灯させる表現や、各金種を表す表示部に対応して設けたランプの点灯／消灯の状態での表現や、上記２つの表現の組合せなどが考えられる。
【００１９】
このほか、利用金種の表示案内を高めるために他の表示手段と合せて表示案内することもできる。例えば、貨幣投入口に貨幣が投入される毎に、投入された貨幣の料金を設定料金から減額して該設定料金の残金を表示する料金表示部などの表示手段を組合せることができる。この場合は、貨幣投入口に貨幣を投入する毎に、設定料金の残額が表示されるため、顧客はこの表示を見て残金に対応した金種を容易に選択することができる。
【００２０】
このような料金徴収装置を備えて取引利用する毎に取引料金を徴収して運用する取引処理装置を構成することができる。この場合は、料金徴収装置がお釣の扱いを省略できるのでお釣に係る制約を受けなくなり、この結果、料金徴収装置を薄型化して取引処理装置に別体あるいは一体に併設することができる。例えば、両替機の前面にコンパクトに組込むことができる。
【発明の効果】
【００２１】
この発明によれば、お釣を生じない金種を入金させて取引料金を徴収するため、お釣の払出構造を省略して簡素化した料金徴収装置を構築することができる。ことに、お釣が一切不要になるので、お釣の準備金がいらず、またお釣の払出構造も不要になるので小型化および薄形化を図った構成がとれる。このため、料金徴収装置を取引処理装置に併設した場合は、取引料金を独自に徴収することができる。さらに、取引処理装置で扱う貨幣から、お釣を払い出すこともなく、取引処理装置で扱われる貨幣と取引手数料に扱われる貨幣とが混在しないため、貨幣の運用管理が容易になる。
【実施例】
【００２２】
この発明の一実施例を以下図面に基づいて説明する。  
図面は銀行等の店舗に設置される両替機を示し、図１において、この両替機１１は両替機本体１１ａの上部前面にカード挿入口１２と、硬貨取出口１３と、紙幣取扱口１４と、トレー１５と、タッチ入力兼用の表示器（ＣＲＴ）１６等を備えて紙幣および硬貨の両替取引を許容している。さらに、両替機本体１１ａの下部前面には両替手数料を徴収するための料金徴収装置１７を備えている。
【００２３】
この料金徴収装置１７は、有料化された両替取引の両替手数料を受付けて独自に徴収するものであって、両替機本体１１ａ側で扱う貨幣とは別に処理して、両替手数料だけを管理する専用の料金徴収機能を有している。このため、両替機本体１１ａ側で扱われる両替金額と料金徴収装置１７で扱われる両替手数料とを混同せずに管理できるため独立した貨幣の管理が可能になり、該料金徴収装置１７を薄型の長方板形状にして両替機本体１１ａの前面下部に一体的に有している。
【００２４】
そして、料金徴収装置１７の前面には顧客を検知する顧客検知センサＳと、硬貨を返却する返却口１８を有し、上面には手数料徴収用の接客操作面として、図２にも示すように、横長に一側（図２では左側）から順に手数料表示部１９と、受付金種表示部２０と、投入口２１と、返却ボタン２２と、返却表示部２３とを有している。
【００２５】
この場合、手数料表示部１９では両替取引額あるいは取引枚数などの両替取引する量が定まったとき、その量に応じて必要な両替手数料を表示案内する。また、両替手数料の取引過程で投入口２１に硬貨を１枚数ずつ投入したとき、その都度、残金を表示案内する入金操作のガイド機能を有している。
【００２６】
さらに、受付金種表示部２０では流通硬貨に用いられている５００円、１００円、５０円、１０円、５円、１円の６金種に応じた個々の硬貨表示部（金種別の表示マーク）を有し、これらの表示マークを金種別に個々に点灯・消灯して受付可否の金種を金種別に表示案内する。
【００２７】
前記投入口２１は硬貨を１枚ずつ受入れる開口部を有し、ここに前記６金種のそれぞれの硬貨が共通して投入利用される。硬貨を投入した後に返却ボタン２２が押された場合は、顧客により取引が強制的に中止されて投入された硬貨は返却口１８に返却される。さらに、返却口１８に硬貨を返却する場合は、返却表示部２３を点灯、あるいは点滅させて返却する旨を顧客に知らせる。また、他の実施形態として、返却ボタンを使用しないで、投入された硬貨をそのまま返却口へ返却する構造であってもよい。
【００２８】
図３は両替機１１の前面扉２４を開口した状態を示し、この前面扉２４の外面側に料金徴収装置１７を一体に取付けている。そして、前面扉２４の内面側に上部から検銭部２５と、一時保留部２６と、収納カセット２７とをこの順に配設している。
【００２９】
前記投入口２１に投入された硬貨の概略処理を図４の経路図を参照して説明すると、投入された硬貨は投入口２１から検銭部２５へと導かれ、ここで真偽および金種が検銭され、受付許可された金種と検銭すれば、図４に太く実線で示す収納経路Ｌ１を経由させて一時保留部２６に一時保留する。その後、一時保留された硬貨は両替取引が成立した取引確定後に収納カセット２７へと収納させる。
【００３０】
一方、投入された硬貨を検銭部２５で検銭したとき、徴収に相応しくない金種あるいは異物の投入であると検銭すれば受付拒否して、その受付拒否された金種や異物を、図４に太く点線で示すリジェクト経路Ｌ２を経由させて返却口１８に返却する。
【００３１】
さらに、投入された硬貨を一時保留部２６に一時保留している取引途中において、顧客が返却ボタン２２を押せば、取引中止して、一時保留されている硬貨を、図４に太く一点鎖線で示す取消経路Ｌ３を経由させて返却口１８に返却する。
【００３２】
このほか、両替機本体１１ａ側で硬貨と判定しない異物の発生がある場合も、その異物を、図４に太く二点鎖線で示す異物返却経路Ｌ４を経由させて返却口１８へと返却するように構成している。
【００３３】
また、図５に示すように、収納カセット２７は前面扉２４を開けて、その内側より該収納カセット２７を傾倒させて着脱許容して設けている。このため、両替手数料が徴収されて収納カセット２７内の硬貨が満杯になった場合は、前面扉２４を開いて空の収納カセットと容易に交換することができる。よって、装置内部に収納した両替取引用の貨幣と区分した別々の管理が可能となる。
【００３４】
図６は料金徴収装置１７の制御回路ブロック図を示し、この料金徴収装置１７の制御部６１は制御基板に搭載して設けられ、手数料表示部１９、受付金種表示部２０、返却表示部２３の各表示部１９、２０、２３と、返却ボタン２２の返却スイッチ６２と、検銭部２５と、一時保留部２６との各回路装置と接続して両替機本体１１ａの制御部６３に接続されている。そして、この料金徴収装置１７の制御部６１に格納されたプログラムに従って各部を制御する。
【００３５】
ところで、この料金徴収装置１７は両替手数料を徴収する際に、お釣の払出構造を一切不要にした入金専用の硬貨受入れ構造に設けている。このため、お釣の準備がいらず、またお釣の払出構造を省略できるので料金徴収装置１７の内部構造を簡素化して小型化や装置全体の薄型化を図って、両替手数料を独自に効率よく徴収管理することができる。このため、制御部６１にあっては、お釣を生じさせないお釣回避制御機能を有している。
【００３６】
この制御部６１のお釣回避制御機能は、投入された硬貨の金種を判別する金種判別処理と、この金種判別処理にて判別した硬貨の金種が、予め設定された両替手数料として徴収される設定料金を超える金種か否かを判定する徴収判定処理と、投入された硬貨を加えた積算料金が、前記設定料金を超えない金種と判別したときは受付け、積算料金が前記設定料金を超える金種と判別したときは返却する硬貨選別処理と、前記積算料金が前記設定料金に一致したことを確認したとき、前記設定料金の徴収を完結する料金徴収処理とのそれぞれを実行するものである。
【００３７】
具体的には、投入口２１に硬貨が投入されたとき、その硬貨を検銭した検銭部２５からの金種情報を制御部６１が取得し、この取得した金種情報が両替手数料として徴収される設定料金を超える金種か否かを判定する。このとき、投入された硬貨を加えた積算料金が、設定料金を超えない金種であると判別したときは、お釣が不要になるので受付けを許可する。これに対し、積算料金が設定料金を超える金種と判別したときは、お釣を要するので返却する。その後、投入された硬貨を加えた積算料金が予め設定された設定料金に一致したことを確認すれば、予め設定された両替手数料の全額が投入されたことになるので、その設定料金の徴収を完結するものである。このようにして、お釣の発生を回避した両替手数料の徴収を実行する。
【００３８】
さらに、制御部６１は硬貨の受付けに際して、１枚ずつ投入される個々の硬貨に対して、該硬貨を加えた積算料金が予め設定された設定料金を超えない金種であれば受付け許可して設定料金になるまで一時保留し、設定料金を超える金種であれば受付け拒否して返却する硬貨の受付け処理の繰返しによって両替手数料の徴収を完結させるものである。
【００３９】
従って、顧客は投入口２１に対して硬貨を１枚ずつ順に投入操作すればよく、予め設定された設定料金になると、一時保留されていた硬貨を回収して両替手数料としての設定料金の徴収が完了する。
【００４０】
例えば、図７に示すように、顧客が両替取引する量を入力操作したとき、これに応じた両替手数料の設定料金が６００円と設定されると、最初の１枚目の硬貨は何れの金種であっても設定料金を超えないため全６金種の投入が許可された投入待機状態にある。このとき、料金徴収装置１７の接客操作面は、図８(Ａ)に示すように、手数料表示部１９では両替手数料が６００円であることを点灯表示し、さらに受付金種表示部２０では全６金種を投入許可していることを表す６個の金種別の表示マークを点灯している。
【００４１】
このような表示案内を見て顧客が１枚目の金種に１００円硬貨を投入すれば、１００円硬貨を受付けた時点で両替手数料の残金は５００円になり、投入された１００円硬貨は一時保留部２６に導かれて一時保留され、残金５００円分の投入待ちになる。このときの投入利用可能な金種は未だ最大金種の５００円硬貨の受付けが可能であるため、全６金種の投入が許可された状態にある。このため、料金徴収装置１７の手数料表示部１９では残り５００円の金額を点灯表示し、さらに受付金種表示部２０では全６金種の表示マークを点灯して投入利用可能な金種を表示案内している。
【００４２】
次に、顧客が投入する２枚目の金種に１００円硬貨を選んで投入すれば、両替手数料の残金は４００円になり、一時保留部２６では１００円硬貨が２枚保留され、残金４００円分の投入待ちになる。この場合、料金徴収装置１７の接客操作面での表示は、図８(Ｂ)に示すように、手数料表示部１９では残り４００円の金額を点灯表示し、さらに受付金種表示部２０では最大金種の５００円硬貨の受付けが不可であるため、５００円硬貨の表示マークは消灯し、５００円硬貨以外の他の５金種の表示マークを点灯している。
【００４３】
この場合に、顧客が投入した２枚目の金種に、誤って５００円硬貨を投入した場合は、５００円硬貨を加えた積算料金が設定料金を超えてお釣を生じさせてしまうため、このときは受付け規制して投入された５００円硬貨を、リジェクト経路Ｌ２を経由させて返却口１８へと返却させる。
【００４４】
同じく、顧客が投入する３枚目の金種に１００円硬貨を選んで投入すれば、両替手数料の残金は３００円になり、一時保留部２６では１００円硬貨が３枚保留され、残金３００円分の投入待ちになる。この場合、料金徴収装置１７の手数料表示部１９では残り３００円の金額を点灯表示し、さらに受付金種表示部２０では最大金種の５００円硬貨の受付けが不可であるため、５００円硬貨の表示マークは消灯し、５００円硬貨以外の他の５金種の表示マークを点灯している。
【００４５】
以下、４枚目以降は同様に投入利用可能な金種（例えば１００円硬貨）を順に投入操作させて、積算料金が最終的に設定料金の６００円に達すれば、両替手数料の受付けが完了する。これに基づいて、両替機１１側での両替手数料６００円分に相当する両替取引が許容される。
【００４６】
また、前記１枚目と２枚目の硬貨の投入時点で、１００円硬貨と５００円硬貨が投入された場合は、これらの２枚が投入された時点で設定料金の６００円に達するので、２枚目の投入時点で両替手数料の徴収を完結することができる。
【００４７】
このように、制御部６１は両替手数料を入金させるときに、料金徴収装置１７の投入口２１への投入が許可された金種を手数料表示部１９に表示し、さらに受付金種表示部２０の表示マークによって投入可否を金種別に表示案内している。ことに、１枚目あるいは何枚目かの投入過程で投入された硬貨の料金を加えた積算料金が設定料金を超えてしまう投入不可の金種があるときは、その投入不可の金種を受付金種表示部２０により投入可の点灯表示から投入不可の消灯表示に切換える表示制御機能を有している。このため、顧客は手数料表示部１９と受付金種表示部２０との表示案内を見て入金に応じた金種を投入操作することができる。
【００４８】
図９は両替手数料の設定料金が１２００円に設定された場合の入金案内例の一覧表を示す。  
顧客が両替取引する量を入力操作したとき、これに応じた両替手数料の設定料金が１２００円を必要とする場合は、最初の１枚目の硬貨は何れの金種であっても１２００円の設定料金を超えないため全６金種の投入が許可された投入待機状態にある。このとき、料金徴収装置１７の接客操作面では、図８(Ａ)に示したように、手数料表示部１９では両替手数料が１２００円であることを点灯表示し、さらに受付金種表示部２０では全６金種を投入許可していることを表す６個の金種別の表示マークを点灯している。
【００４９】
このような表示案内を見て顧客が１枚目の金種に５００円硬貨を投入すれば、５００円硬貨を受付けた時点で両替手数料の残金は７００円になり、投入された５００円硬貨は一時保留部２６に導かれて一時保留され、残金７００円分の投入待ちになる。このときの投入利用可能な金種は未だ最大金種の５００円硬貨の受付けが可能であるため、全６金種の投入が許可された状態にある。このため、料金徴収装置１７の手数料表示部１９では残り７００円の金額を点灯表示し、さらに受付金種表示部２０では全６金種の表示マークを点灯して投入利用可能な金種を表示案内している。
【００５０】
次に、顧客が投入する２枚目の金種に同じく５００円硬貨を選んで投入すれば、両替手数料の残金は２００円になり、一時保留部２６では５００円硬貨が２枚保留され、残金２００円分の投入待ちになる。この場合、料金徴収装置１７の接客操作面での表示は、図８(Ｂ)にも示すように、手数料表示部１９では残り２００円の金額を点灯表示し、さらに受付金種表示部２０では最大金種の５００円硬貨の受付けが不可であるため、５００円硬貨の表示マークは消灯し、５００円硬貨以外の他の５金種の表示マークは点灯している。
【００５１】
続いて、顧客が投入する３枚目の金種に１００円硬貨を選んで投入すれば、両替手数料の残金は１００円になり、一時保留部２６では５００円硬貨２枚と、１００円硬貨１枚の合計３枚が保留され、残金１００円分の投入待ちになる。この場合、料金徴収装置１７の手数料表示部１９では残り１００円の金額を点灯表示し、さらに受付金種表示部２０では最大金種の５００円硬貨の受付けが不可であるため、５００円硬貨の表示マークは消灯し、５００円硬貨以外の他の５金種の表示マークを点灯している。
【００５２】
この場合に、顧客が投入した３枚目の金種に、誤って５００円硬貨を投入した場合は、５００円硬貨を加えた積算料金が設定料金を超えてお釣を生じさせてしまうため、このときは受付け規制して投入された５００円硬貨をリジェクト経路Ｌ２を経由させて返却口１８へと返却させる。
【００５３】
最後に、顧客が４枚目の金種に１００円硬貨を選んで投入すれば、両替手数料の残金は０円になり、制御部６１は投入された金額が設定料金に達したことを確認する。そして、一時保留部２６では５００円硬貨２枚と、１００円硬貨２枚の合計４枚が一時保留され、これらの保留硬貨の回収待ちになる。この場合、料金徴収装置１７の手数料表示部１９では残り０円を点灯表示し、受付金種表示部２０では全６金種の表示マークを消灯して硬貨の受付けが既に完了したことを表示している。
【００５４】
このように硬貨を１枚ずつ投入操作させて、最終的に投入された積算料金が両替手数料の設定料金である１２００円に達すれば、この両替手数料の受付けが完了する。これに基づいて両替機１１側での両替手数料１２００円分に相当する両替取引が許容される。
【００５５】
次に、料金徴収装置１７を備えた両替機１１の両替処理動作を図１０のフローチャートを参照して説明する。  
今、顧客が両替機１１を利用して両替取引する際、先ず、顧客は表示器１６に表示された表示案内に従って両替元金を入金操作する(ステップｎ１)。
【００５６】
この入金操作に続いて両替取引する金額および枚数などの両替取引内容を入力操作し、入力操作の設定が完了すると(ステップｎ２)、
制御部６１は両替取引内容に応じて両替手数料を算出する(ステップｎ３)。
【００５７】
この両替手数料の算出結果を料金徴収装置１７により顧客に知らせて徴収を開始する。そして、両替手数料の徴収が完了すると、両替取引に移る(ステップｎ４)。
【００５８】
そして、両替取引を実行して取引が成立すると、顧客が要請した両替金を出金する(ステップｎ５)。
【００５９】
一方、両替機１１の内部では両替元金を回収し、料金徴収装置１７では両替手数料を内部に回収する(ステップｎ６)。
【００６０】
最後に払い出された両替金が顧客により抜き取られたことを確認して一両替取引が終了する (ステップｎ７)。
【００６１】
次に、前記ステップｎ４に該当する料金徴収装置１７での両替手数料の徴収動作を図１１のフローチャートを参照して説明する。  
顧客が両替取引する取引量を入力操作したとき、これに応じた両替手数料の設定料金が、図８(Ａ)に示すように、料金徴収装置１７の手数料表示部１９に例えば６００円と点灯表示し、また受付金種表示部２０には投入許可された金種の表示マークを点灯表示する(ステップｎ１１)。
【００６２】
この両替手数料の投入に際して、制御部６１は、手数料表示部１９に残額を点灯表示させ、受付金種表示部２０では受付けが規制された金種の表示マークを消灯して、お釣を必要とする金種の受付けを規制する(ステップｎ１２)。
【００６３】
このとき、受付けが許可された金種は、受付金種表示部２０において受付けが許可された金種の表示マークを点灯して顧客に知らせる(ステップｎ１３)。
【００６４】
この表示案内を見て顧客は投入が許可された金種を選択し、その硬貨を投入口２１に１枚ずつ投入する(ステップｎ１４)。
【００６５】
この投入口２１に投入された金種を検銭部２５で検銭し、この検銭結果に基づいて制御部６１は積算料金が設定料金を超えない受付可能な金種と判定すれば(ステップｎ１５)、
制御部６１は残りの両替手数料を計算し、計算した残金を手数料表示部１９に表示案内する(ステップｎ１６)。
【００６６】
そして、予め設定された両替手数料の設定料金になるまで硬貨を１枚ずつ投入させて一時保留し、一時保留金が両替手数料と一致して設定料金に達すると(ステップｎ１７)、
両替手数料の予め設定された設定料金を受付けたことになるので、硬貨の受付けを終了して両替手数料の徴収が完結する(ステップｎ１８)。
【００６７】
ところで、上述のステップｎ１５において、積算料金が設定料金を超えてしまう受付けが規制されている金種が投入されたと検知した場合は、お釣を生じさせてしまうため受付けを規制して、リジェクト経路Ｌ２を経由させて返却口１８へと返却させる(ステップｎ１９)。
【００６８】
上述のように、お釣を生じない金種だけを入金させて両替手数料を徴収するため、お釣の準備金やお釣の払い出しを省略した小型化を図った料金徴収装置を構築することができる。ことに、料金徴収装置を両替機に一体的に設けても、両替手数料を独自に徴収して両替機で扱われる貨幣と料金徴収装置で扱われる硬貨との混在を回避できるため、両替機での資金は変化せず、料金徴収装置で徴収した料金のみが増えることになり、貨幣の運用管理が容易になる。
【００６９】
この発明の構成と、上述の一実施例の構成との対応において、
この発明の貨幣投入口は、実施例の投入口２１に対応し、
以下同様に、
貨幣は、硬貨に対応し、
貨幣処理手段、徴収判定処理、受付変更処理および料金徴収処理は、制御部６１に対応し、
返却手段は、リジェクト経路Ｌ２および返却口１８に対応し、
金種判別処理は、検銭部２５に対応し、
表示手段は、受付金種表示部２０に対応し、
取引処理装置は、両替機１１に対応するも、
この発明は上述の実施例の構成のみに限定されるものではなく、請求項に示される技術思想に基づいて応用することができる。例えば、上述の実施例では手数料表示部１９および受付金種表示部２０を点灯および消灯させて表示案内したが、点滅して表示案内することもできる。
【図面の簡単な説明】
【００７０】
【図１】両替機の外観斜視図。
【図２】料金徴収装置の接客操作面を示す要部平面図。
【図３】両替機の前面扉を開口して示す斜視図。
【図４】料金徴収装置の正面側から見た硬貨の流れを示す搬送経路図。
【図５】料金徴収装置の収納カセットの着脱状態を示す要部側面図。
【図６】料金徴収装置の制御回路ブロック図。
【図７】両替手数料が６００円の場合の金種制限の一例を示す図表。
【図８】料金徴収装置の接客操作面の金種案内状態を表す要部平面図。
【図９】両替手数料が１２００円の場合の金種制限の一例を示す図表。
【図１０】両替機の両替取引動作を示すフローチャート。
【図１１】料金徴収装置の両替手数料の徴収処理動作を示すフローチャート。
【符号の説明】
【００７１】
１１…両替機
１７…料金徴収装置
１８…返却口
１９…手数料表示部
２０…受付金種表示部
２１…投入口
２５…検銭部
６１…制御部
Ｌ２…リジェクト経路
【図１】
2006048526.tif 000003
【図２】
2006048526.tif 000004
【図３】
2006048526.tif 000005
【図４】
2006048526.tif 000006
【図５】
2006048526.tif 000007
【図６】
2006048526.tif 000008
【図７】
2006048526.tif 000009
【図８】
2006048526.tif 000010
【図９】
2006048526.tif 000011
【図１０】
2006048526.tif 000012
【図１１】
2006048526.tif 000013